(57)【要約】【課題】Ｒ−３２の冷媒を使用した室内マルチ式の空気調和装置において、暖房運転が休止される室内機の室内熱交換器への冷媒の溜まり込みを抑制しつつ該室内機による室内温度の上昇を抑制する。【解決手段】空気調和装置（20）は、室外回路（9）と複数の室内回路（17a,17b,17c）とが接続された冷媒回路（10）を備え、室内回路（17a,17b,17c）をそれぞれ有する複数の室内機（51a,51b,51c）において室内熱交換器（15a,15b,15c）が凝縮器として動作する暖房運転が個別に実行可能に構成されている。冷媒回路（10）には、ジフルオロメタンの冷媒が循環するように構成されている。少なくとも一つの室内機（51b,51c）の暖房運転時に、暖房運転が休止される室内機（51a）の室内膨張弁（16a）を微少開度で間欠的に開く間欠制御を行う弁制御部（36）を上記空気調和装置（20）に設ける。【選択図】図１
2014219154.tif 000002
【特許請求の範囲】
【請求項１】
圧縮機（30）と室外熱交換器（11）と室外膨張弁（12）とが設けられた室外回路（9）と、それぞれに室内熱交換器（15a,15b,15c）及び室内膨張弁（16a,16b,16c）が設けられて互いに並列に接続される複数の室内回路（17a,17b,17c）とが接続された冷媒回路（10）を備え、上記室内回路（17a,17b,17c）をそれぞれ有する複数の室内機（51a,51b,51c）において上記室内熱交換器（15a,15b,15c）が凝縮器として動作する暖房運転が個別に実行可能に構成された空気調和装置であって、
上記冷媒回路（10）は、ジフルオロメタンの冷媒が循環するように構成される一方、
少なくとも一つの上記室内機（51b,51c）の暖房運転時に、暖房運転が休止される他の室内機（51a）の上記室内膨張弁（16a）を微少開度で間欠的に開く間欠制御を行う弁制御部（36）を備えている
ことを特徴とする空気調和装置。
【請求項２】
請求項１において、
上記弁制御部（36）は、上記間欠制御における上記室内膨張弁（16a）の閉時間の合計が対応する上記室内機（51a）における暖房運転の休止時間の１／３になるように構成されている
ことを特徴とする空気調和装置。
【請求項３】
請求項１又は２において、
上記弁制御部（36）は、上記間欠制御時における上記室内膨張弁（16a）の閉時間が連続して少なくとも１分以上になるように構成されている
ことを特徴とする空気調和装置。
【請求項４】
請求項１〜３のいずれか１つにおいて、
上記各室内機（51a,51b,51c）は、それぞれの室内熱交換器（15a,15b,15c）に室内空気を供給する室内ファン（23a,23b,23c）を備え、
上記間欠制御時において上記室内膨張弁（16a）が閉状態のときに該室内膨張弁（16a）に対応する上記室内ファン（23a）を駆動させる一方、開状態のときに該室内ファン（23a）を休止させるファン制御部（37）を備えている
ことを特徴とする空気調和装置。
【発明の詳細な説明】
【技術分野】
【０００１】
本発明は、複数の室内機を備えた空気調和装置に関するものである。
【背景技術】
【０００２】
従来より、１台の室外機に対して複数の室内機が接続された所謂室内マルチ式の空気調和装置が知られている（特許文献１を参照）。この種の空気調和装置では、互いに並列に接続された複数の室内機が、液側連絡管及びガス側連絡管によって室外機に接続されている。
【０００３】
また、近年の地球環境保護の一環として、上述したような空気調和装置において、現在使用されているＨＦＣの混合冷媒（以下、Ｒ−４１０Ａという。）に比べて地球温暖化係数（以下「ＧＷＰ」という。）が低い冷媒への切り替えが検討されている。
【先行技術文献】
【特許文献】
【０００４】
【特許文献１】特開２００２−１４７８７８号公報
【発明の概要】
【発明が解決しようとする課題】
【０００５】
ところで、上述した従来の空気調和装置では、室内熱交換器を凝縮器として動作させる各室内機の暖房運転中に、室内空気が充分に暖まった場合などには、該室内に対応する室内機において暖房運転を休止させることがある。このとき、暖房運転が休止される室内機の室内膨張弁を全閉状態にすると、暖房運転において室内膨張弁の上流側に位置する室内熱交換器に冷媒が溜まり込んでしまう。そこで、通常、暖房運転が休止される室内機では、室内膨張弁を僅かに開いて室内熱交換器への冷媒の溜まり込みを抑制していた。
【０００６】
しかしながら、上述したように室内熱交換器を液冷媒が流れると、該液冷媒が空気に放熱してしまい、暖房運転が休止される室内機において室内空気が加熱されてしまう。
【０００７】
ここで、上述したＲ−４１０Ａ等の冷媒を使用した空気調和装置において、Ｒ−４１０ＡよりもＧＷＰが低いジフルオロメタン（以下、Ｒ−３２という。）の冷媒を使用した場合、Ｒ−３２の冷媒はＲ−４１０Ａの冷媒よりも潜熱が大きいことから、冷媒循環量は下がるものの単位時間あたりの放熱量が大きくなってしまう。そのため、暖房運転が休止される室内機において上述のように膨張弁が連続的に開かれると、Ｒ−３２の冷媒が室内熱交換器を流れることで室内空気がより加熱されてしまうという問題があった。
【０００８】
本発明は、斯かる点に鑑みてなされたものであり、Ｒ−３２の冷媒を使用した室内マルチ式の空気調和装置において、暖房運転が休止される室内機の室内熱交換器への冷媒の溜まり込みを抑制しつつ該室内機による室内温度の上昇を抑制することを目的とする。
【課題を解決するための手段】
【０００９】
第１の発明は、圧縮機（30）と室外熱交換器（11）と室外膨張弁（12）とが設けられた室外回路（9）と、それぞれに室内熱交換器（15a,15b,15c）及び室内膨張弁（16a,16b,16c）が設けられて互いに並列に接続される複数の室内回路（17a,17b,17c）とが接続された冷媒回路（10）を備え、上記室内回路（17a,17b,17c）をそれぞれ有する複数の室内機（51a,51b,51c）において上記室内熱交換器（15a,15b,15c）が凝縮器として動作する暖房運転が個別に実行可能に構成された空気調和装置であって、上記冷媒回路（10）は、ジフルオロメタンの冷媒が循環するように構成される一方、少なくとも一つの上記室内機（51b,51c）の暖房運転時に、暖房運転が休止される他の室内機（51a）の上記室内膨張弁（16a）を微少開度で間欠的に開く間欠制御を行う弁制御部（36）を備えている。
【００１０】
上記第１の発明では、冷媒回路（10）においてＲ−３２の冷媒が循環することにより、各室内機（51a,51b,51c）において暖房運転が行われる。具体的には、圧縮機（30）から吐出された冷媒は、各室内回路（17a,17b,17c）に流れ、各室内熱交換器（15a,15b,15c）において空気に対して放熱して凝縮する。凝縮した冷媒は、各室外膨張弁（12）において膨張し、各室外熱交換器（11）において空気から吸熱して蒸発する。
【００１１】
ここで、複数ある室内機（51a,51b,51c）のうちの一部の室内機（51b,51c）において暖房運転が行われる一方、他の室内機（51a）において暖房運転が休止する場合、弁制御部（36）は、暖房運転が休止する室内機（51a）の室内膨張弁（16a）を微少開度で間欠的に開く間欠制御を行う。これにより、暖房運転を休止する室内機（51a）の室内熱交換器（15a）への冷媒の溜まり込みが抑制される。一方、暖房運転休止中の室内機（51a）において、室内膨張弁（16a）の間欠制御によって該室内膨張弁（16a）が間欠的に閉じられるため、室内膨張弁（16a）を微少開度で連続して開くよりも、単位時間当たりに室内熱交換器（15a）を流れる冷媒流量が少なくなる。
【００１２】
第２の発明は、上記第１の発明において、上記弁制御部（36）は、上記間欠制御における上記室内膨張弁（16a）の閉時間の合計が対応する上記室内機（51a）における暖房運転の休止時間の１／３になるように構成されている。
【００１３】
上記第２の発明では、弁制御部（36）は、間欠制御において、室内膨張弁（16a）の閉時間の合計が対応する室内機（51a）における暖房運転の休止時間の１／３となる一方、室内膨張弁（16a）の開時間の合計が対応する室内機（51a）における暖房運転の休止時間の２／３となるように室内膨張弁（16a）を断続して開閉する。これにより、暖房運転を休止する室内機（51a）の室内熱交換器（15a）を単位時間当たりに流れる冷媒流量が、従来のＲ−４１０Ａの冷媒を使用した冷媒回路において、微少開度で連続して室内膨張弁を開く場合（図２）と比較して、２／３に抑えられる。
【００１４】
第３の発明は、上記第１又は第２の発明において、上記弁制御部（36）は、上記間欠制御時における上記室内膨張弁（16a）の閉時間が連続して少なくとも１分以上になるように構成されている。
【００１５】
上記第３の発明では、弁制御部（36）は、間欠制御において、室内膨張弁（16a）を閉じる際の閉時間を連続して１分以上確保する。これにより、室内膨張弁（16a）が頻繁に弁開閉動作を行わなくなる。
【００１６】
第４の発明は、上記第１乃至３のいずれか１つの発明において、上記各室内機（51a,51b,51c）は、それぞれの室内熱交換器（15a,15b,15c）に室内空気を供給する室内ファン（23a,23b,23c）を備え、上記間欠制御時において上記室内膨張弁（16a）が閉状態のときに該室内膨張弁（16a）に対応する上記室内ファン（23a）を駆動させる一方、開状態のときに該室内ファン（23a）を休止させるファン制御部（37）を備えている。
【００１７】
上記第４の発明では、間欠制御時に、ファン制御部（37）は、暖房運転を休止する室内機（51a）の室内膨張弁（16a）が閉状態のときに室内ファン（23a）を駆動させ、開状態のときに室内ファン（23a）を休止させる。つまり、室内熱交換器（15a）において冷媒が流通しない場合には、該室内熱交換器（15a）に空気を供給する一方、室内熱交換器（15a）において冷媒が流通する場合には、該室内熱交換器（15a）への空気の供給を休止する。
【発明の効果】
【００１８】
上記第１の発明によれば、暖房運転が休止される室内機（51a）において室内膨張弁（16a）を微少開度で間欠的に開くようにしたため、暖房運転を休止する室内機（51a）の室内熱交換器（15a）への冷媒の溜まり込みを抑制することができる。また、暖房運転休止中の室内機（51a）において、室内膨張弁（16a）の間欠制御によって該室内膨張弁（16a）が間欠的に閉じられるため、室内膨張弁（16a）を微少開度で連続して開くよりも、室内熱交換器（15a）を流れる冷媒流量を少なくすることができる。これにより、暖房運転が休止される室内機（51a）において、潜熱の大きいＲ−３２の冷媒が室内熱交換器（15a）を流れることによる室内空気の加熱量を低減することができる。その結果、室内温度の上昇を防止することができる。
【００１９】
上記第２の発明によれば、間欠制御が行われる室内機（51a）において、室内膨張弁（16a）の閉時間の合計を室内機（51a）における暖房運転の休止時間の１／３としたため、室内機（51a）における暖房運転の休止時に微少開度で連続して室内膨張弁を開く場合と比較して室内熱交換器（15a）を流れる冷媒流量を２／３に抑えることができる。これにより、暖房運転が休止される室内機（51a）において、潜熱の大きいＲ−３２の冷媒が室内熱交換器（15a）を流れることによる室内空気の加熱量を低減することができる。その結果、室内温度の上昇を防止することができる。
【００２０】
上記第３の発明によれば、間欠制御時の室内膨張弁（16a）の閉時間を連続して１分以上としたため、室内膨張弁（16a）が頻繁に弁開閉動作を繰り返すのを確実に防止することができる。
【００２１】
上記第４の発明によれば、間欠制御が行われる室内機（51a）において、室内膨張弁（16a）が閉状態のときに室内ファン（23a）を駆動させ、室内膨張弁（16a）が開状態のときに室内ファン（23a）を休止させるようにしたため、室内熱交換器（15a）に冷媒が流れていないときに空気を供給する一方、冷媒が流れているときに空気の供給を休止することができる。これにより、室内温度の上昇を防ぎつつ、室内熱交換器（15a）周辺に熱交換後の加熱された空気が溜まることによる温度上昇も防ぐことができる。
【図面の簡単な説明】
【００２２】
【図１】図１は、本実施形態に係る空気調和装置を示す配管系統図である。
【図２】図２は、本実施形態に係る間欠制御を示す制御図である。
【発明を実施するための形態】
【００２３】
以下、本発明の実施形態を図面に基づいて詳細に説明する。
【００２４】
本実施形態に係る空気調和装置（20）は、図１に示すように、室外機（22）と、３台の室内機（51a,51b,51c）とを備えている。なお、室内機（51a,51b,51c）の台数は単なる例示である。
【００２５】
室外機（22）は、ケーシング（21）と、室外回路（9）と、室外ファン（14）とを備えている。室外回路（9）と室外ファン（14）とは、ケーシング（21）内に収容されている。一方、３つの室内機（51a,51b,51c）は、ケーシング（52a,52b,52c）と、室内回路（17a,17b,17c）と、室内ファン（23a,23b,23c）とをそれぞれ備えている。各室内回路（17a,17b,17c）と各室内ファン（23a,23b,23c）とは、各ケーシング（52a,52b,52c）内に収容されている。３つの室内回路（17a,17b,17c）は、互いに並列に接続される一方、液側連絡配管（18）及びガス側連絡配管（19）を介して室外回路（9）に接続され、これらの室外回路（9）、３つの室内回路（17a,17b,17c）、液側連絡配管（18）及びガス側連絡配管（19）によって冷媒回路（10）が構成されている。該冷媒回路（10）には、ＨＦＣ冷媒であるＲ−３２で構成される冷媒が充填されている。なお、Ｒ−３２の化学式は、ＣＨ2Ｆ2で表される。
【００２６】
〈室外回路の構成〉
上記室外回路（9）には、圧縮機（30）、室外熱交換器（11）、室外膨張弁（12）、及び四路切換弁（13）が設けられている。
【００２７】
上記圧縮機（30）は、例えば全密閉の高圧ドーム型のスクロール圧縮機として構成されている。圧縮機（30）には、インバータを介して電力が供給される。圧縮機（30）は、吐出側が四路切換弁（13）の第２ポート（P2）に接続され、吸入側が四路切換弁（13）の第１ポート（P1）に接続されている。
【００２８】
上記室外熱交換器（11）は、クロスフィン型のフィン・アンド・チューブ熱交換器として構成されている。室外熱交換器（11）の近傍には、該室外熱交換器（11）に室外空気を供給する上記室外ファン（14）が設けられている。室外熱交換器（11）では、室外空気と冷媒との間で熱交換が行われる。室外熱交換器（11）は、一端が四路切換弁（13）の第３ポート（P3）に接続され、他端が室外膨張弁（12）に接続されている。また、四路切換弁（13）の第４ポート（P4）は、室外回路（9）のガス側端に接続されている。
【００２９】
上記室外膨張弁（12）は、室外熱交換器（11）と室外回路（9）の液側端との間に設けられている。室外膨張弁（12）は、開度可変の電子膨張弁として構成されている。
【００３０】
上記四路切換弁（13）は、第１ポート（P1）と第４ポート（P4）とが連通して第２ポート（P2）と第３ポート（P3）とが連通する第１状態（図１に実線で示す状態）と、第１ポート（P1）と第３ポート（P3）とが連通して第２ポート（P2）と第４ポート（P4）とが連通する第２状態（図１に破線で示す状態）とが切り換え自在に構成されている。
【００３１】
〈室内回路の構成〉
各室内回路（17a,17b,17c）には、そのガス側端から液側端へ向かって順に、室内熱交換器（15a,15b,15c）と、室内膨張弁（16a,16b,16c）とが設けられている。
【００３２】
上記各室内熱交換器（15a,15b,15c）は、クロスフィン型のフィン・アンド・チューブ熱交換器として構成されている。各室内熱交換器（15a,15b,15c）では、室内空気と冷媒との間で熱交換が行われる。
【００３３】
各室内熱交換器（15a,15b,15c）の近傍には、該室内熱交換器（15a,15b,15c）に室内空気を供給する上記室内ファン（23a,23b,23c）が設けられている。各室内ファン（23a,23b,23c）は、後述するファン制御部（37）によって運転制御される。
【００３４】
また、各室内膨張弁（16a,16b,16c）は、開度可変の電子膨張弁として構成されている。
【００３５】
〈コントローラ〉
室外機（22）には、室外コントローラ（31）が設けられ、３つの室内機（51a,51b,51c）には、室内コントローラ（35a,35b,35c）がそれぞれ設けられている。各室内コントローラ（35a,35b,35c）は、室外コントローラ（31）とそれぞれ通信可能に構成されると共に、対応する室内機（51a,51b,51c）の運転を個別に操作するためのリモコン（図示省略）とそれぞれ通信可能に構成されている。
【００３６】
室外コントローラ（31）は、各種センサ（図示省略）によって室外温度、室外回路（9）の冷媒温度及び冷媒圧力の検出信号が入力され、各室内機（51a,51b,51c）において室内温度が目標温度範囲となるように、四路切換弁（13）、圧縮機（30）、室外膨張弁（12）、室外ファン（14）の動作を制御するように構成されている。一方、各室内コントローラ（35a,35b,35c）は、各種センサ（図示省略）によって対応する室内温度及び対応する室内回路（17a,17b,17c）の冷媒温度の検出信号が入力され、対応する室内機（51a,51b,51c）において室内温度が目標温度範囲となるように、各室内膨張弁（16a,16b,16c）及び各室内ファン（23a,23b,23c）の動作を制御するように構成されている。
【００３７】
各室内コントローラ（35a,35b,35c）は、冷房運転中の室内機（51a,51b,51c）に対応する室内の温度が目標温度範囲内の温度となると、冷房運転を休止し、その後、室内の温度が目標温度範囲よりも高い所定の温度以上の温度となると、冷房運転を再開するように構成されている。また、各室内コントローラ（35a,35b,35c）は、暖房運転中の室内機（51a,51b,51c）に対応する室内の温度が目標温度範囲内の温度となると、暖房運転を休止し、その後、室内の温度が目標温度範囲よりも低い所定の温度以下の温度となると暖房運転を再開するように構成されている。なお、各室内コントローラ（35a,35b,35c）によって、３つの室内機（51a,51b,51c）の全てにおいて暖房運転又は冷房運転が休止される場合には、室外コントローラ（31）が圧縮機（30）の運転を停止する。
【００３８】
また、各室内コントローラ（35a,35b,35c）は、室内膨張弁（16a,16b,16c）の動作を制御する弁制御部（36）と、室内ファン（23a,23b,23c）の動作を制御するファン制御部（37）とをそれぞれ備えている。
【００３９】
上記各弁制御部（36）は、対応する室内機（51a,51b,51c）の運転中に、対応する室内回路（17a,17b,17c）の室内膨張弁（16a,16b,16c）を制御するように構成されている。具体的には、各弁制御部（36）は、冷房運転時には、対応する室内回路（17a,17b,17c）における冷媒過熱度が所定範囲内の値となるように室内膨張弁（16a,16b,16c）を制御し、暖房運転時には、対応する室内回路（17a,17b,17c）における冷媒過冷却度が所定範囲内の値となるように室内膨張弁（16a,16b,16c）を制御するように構成されている。
【００４０】
各弁制御部（36）は、対応する室内機（51a,51b,51c）において冷房運転が休止されるときに、該室内機（51a,51b,51c）の室内膨張弁（16a,16b,16c）を閉じるように構成されている。一方、各弁制御部（36）は、対応する室内機（51a,51b,51c）において暖房運転が休止される一方、他のいずれかの室内機（51a,51b,51c）において暖房運転が実行されるときに、対応する室内機（51a,51b,51c）の室内膨張弁（16a,16b,16c）を微少開度で間欠的に開く間欠制御を行うように構成されている。なお、本実施形態では、微少開度は各室内膨張弁（16a,16b,16c）の全閉とならない最小開度に設定されている。
【００４１】
また、各弁制御部（36）は、上記間欠制御において、図２に示すように、室内膨張弁（16a,16b,16c）を閉じる時間（閉時間）の合計が室内回路（17a,17b,17c）の暖房運転休止時間の１／３となるように室内膨張弁（16a,16b,16c）を制御する。
【００４２】
上記各ファン制御部（37）は、対応する室内機（51a,51b,51c）の運転中に、対応する室内回路（17a,17b,17c）の室内ファン（23a,23b,23c）の発停制御及び風量制御を行うものである。各ファン制御部（37）は、暖房運転と冷房運転とにおいて、対応する室内機（51a,51b,51c）の室内ファン（23a,23b,23c）を、対応する室内温度が目標温度範囲内の温度となるように制御するように構成されている。また、各ファン制御部（37）は、対応する室内機（51a,51b,51c）において弁制御部（36）によって間欠制御が行われる際に、室内ファン（23a,23b,23c）を、室内膨張弁（16a,16b,16c）が閉状態のときに駆動させる一方、室内膨張弁（16a,16b,16c）が開状態のときに休止させるように構成されている。
【００４３】
−運転動作−
上記空気調和装置（20）の運転動作について説明する。この空気調和装置（20）は、冷房運転と暖房運転とが実行可能になっており、四路切換弁（13）によって冷房運転と暖房運転との切り換えが行われる。各運転が実行されると、冷媒回路（10）では、Ｒ−３２の冷媒が循環する。
【００４４】
《冷房運転》
冷房運転時には、四路切換弁（13）が第１状態に設定される。この状態で、圧縮機（30）が駆動されると、圧縮機（30）から吐出された高圧冷媒が、室外熱交換器（11）において室外空気へ放熱して凝縮する。室外熱交換器（11）で凝縮した冷媒は、各室内回路（17a,17b,17c）へ分配される。各室内回路（17a,17b,17c）では、流入した冷媒が、各室内膨張弁（16a,16b,16c）で減圧された後に、各室内熱交換器（15a,15b,15c）において室内空気から吸熱して蒸発する。一方、室内空気は冷却されて室内へ供給される。
【００４５】
各室内回路（17a,17b,17c）で蒸発した冷媒は、他の室内回路（17a,17b,17c）で蒸発した冷媒と合流して、室外回路（9）へ戻り、圧縮機（30）で再び圧縮されて吐出される。
【００４６】
上記冷房運転中のいずれかの室内機（51a）に対応する室内の温度が目標温度範囲内の温度となると、該室内機（51a）において冷房運転が休止され、その後、室内の温度が目標温度範囲よりも高い所定の温度以上の温度となると、冷房運転が再開される。冷房運転が休止される室内機（51a）では、弁制御部（36）により、室内膨張弁（16a）が全閉状態に制御される。なお、全ての室内機（51a,51b,51c）において冷房運転が休止される際には、圧縮機（30）が停止される。
【００４７】
《暖房運転》
暖房運転時には、四路切換弁（13）が第２状態に設定される。この状態で、圧縮機（30）が駆動されると、圧縮機（30）から吐出された高圧冷媒が、各室内回路（17a,17b,17c）へ分配される。各室内回路（17a,17b,17c）では、流入した冷媒が各室内熱交換器（15a,15b,15c）において室内空気へ放熱して凝縮する。一方、室内空気は加熱されて室内へ供給される。
【００４８】
各室内熱交換器（15a,15b,15c）で凝縮した冷媒は、他の各室内熱交換器（15a,15b,15c）で凝縮した冷媒と合流して室外回路（9）へ戻り、室外膨張弁（12）で減圧された後に、室外熱交換器（11）において室外空気から吸熱して蒸発する。室外熱交換器（11）で蒸発した冷媒は、圧縮機（30）で再び圧縮されて吐出される。
【００４９】
上記暖房運転中のいずれかの室内機、例えば室内機（51a）に対応する室内の温度が目標温度範囲内の温度となると、室内コントローラ（35a）によって室内機（51a）における暖房運転が休止され、その後、室内の温度が目標温度範囲よりも低い所定の温度以下の温度となると、暖房運転が再開される。
【００５０】
ここで、３つの室内機（51a,51b,51c）の全てにおいて暖房運転が休止される場合には、室外コントローラ（31）が圧縮機（30）の運転を停止する。一方、少なくとも１つの室内機（51b,51c）において暖房運転が休止され、他の室内回路（17a）において暖房運転が実行される場合には、室内機（51a）における暖房運転を休止させる室内コントローラ（35a）の弁制御部（36）により、室内膨張弁（16a）の間欠制御が実行される。
【００５１】
−間欠制御時の動作−
少なくとも一つの室内機、例えば、室内機（51b,51c）の暖房運転時に、他の室内機（51a）に対応する室内温度が目標温度範囲内の温度になると、室内コントローラ（35a）によって室内機（51a）における暖房運転が休止される。このとき、室内コントローラ（35a）の弁制御部（36）は、室内機（51a）の室内膨張弁（16a）を微少開度で間欠的に開く間欠制御を行う。間欠制御では、図２に示すように、弁制御部（36）は、室内膨張弁（16a）の閉時間の合計が室内回路（17a）の休止時間の１／３となる一方、室内膨張弁（16a）の開時間の合計が室内回路（17a）の休止時間の２／３となるように室内膨張弁（16a）を断続して開閉する。より具体的には、弁制御部（36）は、所定時間Ｔだけ室内膨張弁（16a）を微少開度で開く動作と、所定時間Ｔの半分の時間Ｔ／２だけ室内膨張弁（16a）を閉じる動作とを交互に繰り返す。これにより、暖房運転を休止する室内機（51a）の室内熱交換器（15a）を単位時間当たりに流れる冷媒流量が、従来のＲ−４１０Ａの冷媒を使用した冷媒回路において、微少開度で連続して室内膨張弁を開く場合（図２）と比較して、２／３に抑えられる。
【００５２】
また、弁制御部（36）によって間欠制御が行われる室内機（51a）では、室内膨張弁（16a）は、１分以上全閉状態に制御される。つまり、間欠制御において室内膨張弁（16a）が閉じられる時間Ｔ／２は、１分以上の長さに設定されている。これにより、間欠制御において室内膨張弁（16a）の閉状態が１分以上確保されるため、室内膨張弁（16a）が頻繁に開閉動作を行わなくなる。
【００５３】
また、上記間欠制御が行われる室内機（51a）では、ファン制御部（37）により、室内膨張弁（16a）が閉状態のときに室内ファン（23a）が駆動される一方、室内膨張弁（16a）が開状態のときに室内ファン（23a）が休止される。つまり、室内熱交換器（15a）において冷媒が流通しない場合には、室内ファン（23a）を動作させて室内熱交換器（15a）に空気を供給する一方、室内熱交換器（15a）において冷媒が流通する場合には、室内ファン（23a）を休止させて室内熱交換器（15a）への空気の供給を休止する。
【００５４】
以上のような動作により、暖房運転が休止される室内機（51a）では、室内膨張弁（16a）が微少開度で間欠的に開かれる一方、室内ファン（23a）が、室内膨張弁（16a）が開状態の際に休止され、室内膨張弁（16a）が閉状態の際に駆動される。これにより、暖房運転が休止される室内機（51a）の室内熱交換器（15a）への冷媒の溜まり込みが抑制されると共に、該室内熱交換器（15a）に潜熱の大きいＲ−３２の冷媒が流れることによる室内温度の上昇を防ぎつつ、室内熱交換器（15a）周辺に冷媒によって加熱された空気が溜まることによる温度上昇も防ぐことができる。
【００５５】
−実施形態の効果−
上記実施形態によれば、暖房運転が休止される室内機（51a）において室内膨張弁（16a）を微少開度で間欠的に開くようにしたため、暖房運転を休止する室内機（51a）の室内熱交換器（15a）への冷媒の溜まり込みを抑制することができる。また、暖房運転休止中の室内機（51a）において、室内膨張弁（16a）の間欠制御によって該室内膨張弁（16a）が間欠的に閉じられるため、室内膨張弁（16a）を微少開度で連続して開くよりも、室内熱交換器（15a）を流れる冷媒流量が少なくすることができる。これにより、暖房運転が休止される室内機（51a）において、潜熱の大きいＲ−３２の冷媒が室内熱交換器（15a）を流れることによる室内空気の加熱量を低減することができる。その結果、室内温度の上昇を防止することができる。
【００５６】
また、上記実施形態によれば、間欠制御が行われる室内機（51a）において、室内膨張弁（16a）の閉時間の合計を室内機（51a）における暖房運転の休止時間の１／３としたため、室内機（51a）の暖房運転休止時に室内膨張弁を微少開度で連続して開く場合と比較して室内熱交換器（15a）を流れる冷媒流量を２／３に抑えることができる。これにより、暖房運転が休止される室内機（51a）において、Ｒ−３２の冷媒が室内熱交換器（15a）を流れることによる室内空気の加熱量を低減することができる。その結果、室内温度の上昇を防止することができる。
【００５７】
さらに、間欠制御時の室内膨張弁（16a）の閉時間を連続して１分以上としたため、室内膨張弁（16a）が頻繁に弁開閉動作を繰り返すのを確実に防止することができる。
【００５８】
また、間欠制御が行われる室内機（51a）において、室内膨張弁（16a）が閉状態のときに室内ファン（23a）を駆動させ、室内膨張弁（16a）が開状態のときに室内ファン（23a）を休止させるようにしたため、室内熱交換器（15a）に冷媒が流れていないときは空気を供給する一方、冷媒が流れているときに空気の供給を休止することができる。これにより、室内温度の上昇を防ぎつつ、室内熱交換器（15a）周辺に熱交換後の加熱された空気が溜まることによる温度上昇も防ぐことができる。
【００５９】
なお、以上の実施形態は、本質的に好ましい例示であって、本発明、その適用物、あるいはその用途の範囲を制限することを意図するものではない。
【産業上の利用可能性】
【００６０】
以上説明したように、本発明は、複数の室内機を備えた空気調和装置について有用である。
【符号の説明】
【００６１】
９                      室外回路
１０                    冷媒回路
１１                    室外熱交換器
１２                    室外膨張弁
１５ａ、１５ｂ、１５ｃ  室内熱交換器
１６ａ、１６ｂ、１６ｃ  室内膨張弁
１７ａ、１７ｂ、１７ｃ  室内回路
２３ａ、２３ｂ、２３ｃ  室内ファン
３０                    圧縮機
３６                    弁制御部
３７                    ファン制御部
【図１】
2014219154.tif 000003
【図２】
2014219154.tif 000004